(57)【要約】本発明は、送信器（６）を有する電子キー（４）と、受信器（１０）を有した基地局（８）を有する保護対象を含んだセキュリティシステム（４，８）であって、前記送信器（６）と受信器（１０）は、認証データの交換のために相互に通信できるように構成されているセキュリティシステム（４，８）において、データをメッセージの中で伝送するキー（４）が、伝送信号変化の伴う予め定められたそのつどの周期（Ｔ０，…Ｔ４）を有するパートを含み、前記基地局（８）は、中継点による伝送信号の変化の歪みを識別するように構成されていることを特徴とする。
2004506824.tif 000002
【特許請求の範囲】
【請求項１】
送信器（６）を有する電子キー（４）と、受信器（１０）を有した基地局（８）を有する保護対象を含んだセキュリティシステム（４，８）であって、
前記送信器（６）と受信器（１０）は、認証データの交換のために相互に通信できるように構成されている形式のセキュリティシステム（４，８）において、
データをメッセージの中で伝送するキー（４）が、伝送信号変化の伴う予め定められたそのつどの周期（Ｔ０，…Ｔ４）を有するパートを含み、
前記基地局（８）は、中継点による伝送信号の変化の歪みを識別するように構成されていることを特徴とするセキュリティシステム。
【請求項２】
前記メッセージの部分の少なくとも１つが伝送チャネル周波数からの周波数偏差を有するデータを伝送し、中継点のフィルタによるデータの改竄を識別できるようにした、請求項１記載のセキュリティシステム。
【請求項３】
周波数偏差がフィルタ回路の帯域幅と共に平衡調整される、請求項２記載のセキュリティシステム。
【請求項４】
受信器（１０）のフィルタ回路（４３）は、基地局（８）によって制御され、それによって予め定められた周期に対する伝送信号変化が同期的に平衡調整される、請求項１記載のセキュリティシステム。
【請求項５】
メッセージは、第１の周期を有する第１のバートを有しており、フィルタ回路は、第１の周期に対する第１の帯域幅設定を有しており、
メッセージは、伝送チャネル周波数からの周波数偏差を有するデータの少なくとも一部を伝送するために、第２の周期を有する第２のバートを有しており、
フィルタ回路は、第２の周期に対する第２の帯域幅設定を使用しており、
基地局は、中継点のフィルタによるデータの改竄を識別している、請求項４記載のセキュリティシステム。
【請求項６】
複数のデータの伝送のために、第１のパートから間をおいて複数の第２のパートが用いられている、請求項５記載のセキュリティシステム。
【請求項７】
第１の帯域幅設定は、第２の帯域幅設定の周波数偏差の帯域幅よりも狭い帯域幅を有している、請求項５記載のセキュリティシステム。
【請求項８】
第１の帯域幅設定は、そのつどのツートーンとトーンの相互変調積に対して第１の帯域幅を有し、基地局は、中継点の識別のために帯域幅の中で受信した信号におけるスペクトルシグナチュアテストを実施する、請求項７記載のセキュリティシステム。
【請求項９】
第１の周期は第１の伝送信号出力を伴う初期周期を含み、後続する周期は、第１の出力とは異なる第２の伝送信号出力を含む、請求項８記載のセキュリティシステム。
【請求項１０】
多数の第２のパートは、データの伝送のために第１のパートから間をおいて使用される、請求項８記載のセキュリティシステム。
【請求項１１】
多数の第２のパートは、データの伝送のために第１のパートから間をおいて使用される、請求項９記載のセキュリティシステム。
【請求項１２】
第１のパートの最初のみが初期周期と後続の周期を含んでいる、請求項１１記載のセキュリティシステム。
【請求項１３】
メッセージは、第１の周期の第１のパートを有し、フィルタ回路は、第１の周期のための第１の帯域幅設定を使用し、第１の周期は、第１の伝送信号出力を伴う初期周期を含み、後続の周期は、第１の出力とは異なる第２の伝送信号出力を伴う、請求項１記載のセキュリティシステム。
【請求項１４】
メッセージは、第１の周期の第１のパートを有し、フィルタ回路は、第１の周期のための第１の帯域幅設定を使用し、第１の帯域幅設定は、それぞれツートーンとトーンの相互変調積に対するそのつどの第１の帯域幅を有し、基地局はスペクトルシグナチュアテストを帯域幅の中で受信した信号において実施する、請求項１３記載のセキュリティシステム。
【請求項１５】
前記周期は、基地局によって設定され、キーにおける通信を行う、請求項１から１４いずれか１項記載のセキュリティシステム。
【請求項１６】
前記周期は、ランダム選択方式（ランダムセレクション）を用いて決定される、請求項１５記載のセキュリティシステム。
【請求項１７】
前記周期は、キーが有効なものとして識別された場合に変更され通信される、請求項１５記載のセキュリティシステム。
【請求項１８】
前記周期は、キーが保護対象内に存在する場合にのみ通信される、請求項１５から１７いずれか１項記載のセキュリティシステム。
【請求項１９】
請求項１から１８の任意の１つに従ってセキュリティシステムを備えた自動車。
【請求項２０】
セキュリティシステムによって実施される通信方法であって、送信器（６）を有する電子キー（４）と、受信器（１０）を有した基地局（８）を有する保護対象が含まれており、前記方法は、送信器（６）から受信（１０）への認証データの伝送を含んでいる形式の通信方法において、
データをメッセージの中で伝送し、該メッセージは伝送信号変化を伴うそのつどの予め定められた周期の複数のパートを含んでおり、
この場合基地局（８）において中継点による伝送信号変化のひずみの識別が行われることを特徴とする通信方法。
【請求項２１】
中継点のフィルタによるデータの改竄を識別するために、前記メッセージのパートのうちの少なくとも１つが伝送チャネル周波数からの周波数偏差を伴って伝送される、請求項２０記載の通信方法。
【請求項２２】
前記周波数偏差は、フィルタ回路の帯域幅と共に補償調整される、請求項２１記載の通信方法。
【請求項２３】
前記受信器（１０）のフィルタ回路（４３）は、予め定められる周期に対する伝送信号変化を同期的に補償調整するために制御される、請求項２０記載の通信方法。
【請求項２４】
前記メッセージは、第１の周期の第１のパートを有しており、前記フィルタ回路は、前記第１の周期に対する第１の帯域幅設定を有し、
前記メッセージは、データの少なくとも１つのパートを伝送チャネル周波数からの周波数偏差を伴わせて伝送するために第２の周期の第２のパートを有しており、
前記フィルタ回路は、第２の周期に対する第２の帯域幅設定を使用し、基地局は、中継点のフィルタによるデータの改竄を識別する、請求項２３記載の通信方法。
【請求項２５】
複数の第２のパートはデータを伝送するために第１のパートから間をおいて使用される、請求項２４記載の通信方法。
【請求項２６】
前記第１の帯域幅設定は、第２の帯域幅設定の周波数偏差の帯域幅よりも狭い帯域幅を有している、請求項２４記載の通信方法。
【請求項２７】
前記第１の帯域幅設定は、そのつどのツートーンとトーンに対する第１の帯域幅を有しており、基地局はスペクトラルシグナチュアテストを帯域幅内で受信された信号において実施され、それによって中継点が識別できるようにした、請求項２６記載の通信方法。
【請求項２８】
前記第１の周期は、第１の伝送出力信号を有する初期周期を含み、後続の周期は、第１の出力とは異なっている第２の伝送信号出力を伴って含まれている、請求項２７記載の通信方法。
【請求項２９】
前記複数の第２のパートは、第１のパートから間をあけて使用され、データを伝送している、請求項２７記載の通信方法。
【請求項３０】
前記複数の第２のパートは、データ伝送のために、第１のパートから間をおいて使用される、請求項２８記載の通信方法。
【請求項３１】
第１のパートの最初（開始）のみが初期周期を含み、後続の周期を含んでいる、請求項３０記載の通信方法。
【請求項３２】
前記メッセージは、第１の周期の第１のパートを有し、フィルタ回路は、第１の周期に対する第１の帯域幅設定を使用し、第１の周期は、第１の伝送信号チャネルの出力による初期周期を含み、後続の周期は、第１の出力とは異なる、第２の伝送信号出力を含む、請求項２０記載の通信手法。
【請求項３３】
前記メッセージは、第１の周期の第１のパートを有し、前記フィルタ回路は、第１の周期に対する第１の帯域幅設定に使用し、第１の帯域幅設定は、そのつどのツートーン及びトーンの相互変調積に対する第１の帯域幅を有しており、基地局は、中継点の識別のために帯域幅の中で受信された信号におけるスペクトルシグナチュアテストを実施する、請求項３２記載の通信方法。
【請求項３４】
前記周期は、基地局によって設定され、キーに通信される、請求項２０から３３いずれか１項記載の通信方法。
【請求項３５】
前記周期は、ランダムな選択（ランダムセレクション）を用いて確定される、請求項３４記載の通信方法。
【請求項３６】
前記周期は、キーが有効なものとして存在していた場合に変更され通信される、請求項３４記載の通信方法。
【請求項３７】
前記周期は、キーが保護対象内に存在する場合に、通信される、請求項３４から３６いずれか１項記載の通信方法。
【発明の詳細な説明】
【０００１】
本発明は、セキュリティシステム、特に車両用のパッシブセキュリティシステムに関している。
【０００２】
車両のアクセスまたは運転開始のための現在実施されている車両用のパッシブセキュリティシステムには、遠隔制御される電子キーが用いられている。この電子キーには送信器が含まれており、この送信器は、車両内にある受信器の予め定められた領域内に当該キーが存在するようになってキーのトランスポンダが励磁された場合には、認証データを受信器に伝送する。この送信器と受信器の間で活性化される通信プロトコルは、伝送されるデータ並びに車両からキーへ送信される全てのデータを導くために無線周波素インターフェースを使用する。この無線周波数（ＲＦ）インターフェースは、キーを所有している人物が車両のすぐ近くから離れた場合には、通信接続が中断されることを保証するために、限定された領域しか有していない。
【０００３】
このパッシブセキュリティシステムは、車両やキーの近くにおかれたインターセプト装置を用いた権限のない人物による攻撃に簡単にさらされる。この装置は、キーを励起するのに用いられており、その際にはキーから伝達された伝送データが受信されこの伝送データが車両に転送される。このインターセプト装置は、しばしば中継点とも称され、車両へのアクセスを達成すべくキャッチした信号を車両近傍の受信器および増幅器に伝送するために、通常は受信器と増幅器をキー領域内におかれる。
【０００４】
オーストラリア国特許出願 ３３９３３／９９ または ４２４１９／９９ による明細書には（以下ではこれらを単に“ツートーンセキュリティシステム明細書”とも称する）、当該明細書中にも関連付けられているセキュリティシステムが記載されている。これらのシステムは、中継点にキーと車両の間で伝送される信号をキャッチすべく広帯域増幅器が使用されている場合に、中継点側の攻撃を阻止または識別するのに用いられている。この場合は多数の様々な伝送チャネルが使用される。これらの中継点は、２つのツートーンセキュリティシステム明細書に記載されているようにツートーンテストが利用されている。
【０００５】
しかしながら中継点は、何らかの広帯域増幅器を追加する代わりに、各伝送チャネル毎に別個の受信器、フィルタ、増幅器を扱う装置を利用することも可能である。中継点は、当該のセキュリティシステムの作動している周波数帯域の各無線周波数チャネルにさし出されたそれぞれの受信器と送信器を備えた別個の送／受信局を有し得る。それにより中継点は、データとトランスポンダのスペクトル（波長別）認証のために用いられるチャネルの局所化のために当該セキュリティシステムの周波数帯域を走査する必要はなくなる。このシナリオにおいて、ツートーンテストは、キャッチ側の広帯域増幅器によって伝送チャネルのミキシングの際に生成された側波帯相互変調を識別するための識別には利用できない。従って、この種の攻撃を回避できるかまたは少なくともこの目的に合った代替例として用いることのできるセキュリティシステムの提供が望まれている。
【０００６】
本発明によれば、送信器を備えた電子キーと、受信器を備えた基地局を有する保護される対象も含めたセキュリティシステムであって、送信器と受信器が認証データの交換のために相互に通信できるように構成されている形式のものにおいて、データをメッセージで伝送するキーが、伝送信号変化の伴う予め定められるそのつどの周期を有する部分を含み、基地局が、中継点による伝送信号変化の歪みを識別する。
【０００７】
また本発明によれば、セキュリティシステムによって実施される通信方法であって、送信器を備えた電子キーと、受信器を備えた基地局を有する保護対象が含まれ、当該方法は、送信器から受信器への認証データの伝送を含んでいる形式のものにおいて、データが、伝送信号変化の伴う予め定められるそのつどの周期を有する部分を含んだメッセージで伝送され、基地局において中継箇所による伝送信号変化の歪みが識別される。
【０００８】
以下の明細書では本発明の有利な実施手段を例示的に図面に基づいて説明する。これらの図面において、
図１は、中継点を有するセキュリティシステムの有利な実現例を概略的に示した図であり、
図２は、１つのセキュリティシステムのブロックダイヤグラムであり、
図３は、セキュリティシステムから伝送された信号の時間ダイヤグラムであり、
図４は、改竄されたデータ信号のダイヤグラムであり、
図５は、ツートーン伝送システムのための周波数スペクトルのダイヤグラムであり、
図６は、データ伝送システムのための周波数スペクトルのダイヤグラムである。
【０００９】
実施例
図１および図２に示されているように、パッシブセキュリティシステムは、送信器６と送信アンテナ７を備えた電子キー４と、受信器１０と受信アンテナ１２を備えた基地局８を含んでいる。基地局８は保護される箇所、例えば車両に設けられ、この保護された箇所への立入りおよび／または車両の始動を監視する。キー４が受信器１０のアンテナ１２の所定領域内に近づいた場合には、受信器１０がキー４のトランスポンダを励起し、それによって送信器６に受信器１０への伝送を開始させる。データは、ＲＦ信号の適用下で伝送される。これによってキー４と基地局８の間の通信接続が形成される。キー４と基地局８の間で伝送されるデータは、通信プロトコルによって定められる。この通信プロトコルは、キー４と基地局８を規定しキー４から受信器１０への認証データの伝送を含んでいる。保護された領域への立入りおよび／または車両の始動に対しては、伝送された認証データと、基地局８に記憶されている認証データが一致した場合にのみ、基地局８によって許可される。
【００１０】
キー４と基地局８は、例えば前記ツートーンセキュリティシステムの明細書で開示されているような一連のセキュリティ特徴を含んでいる。キー４と基地局８の構造は、キー４の送信器６と基地局８の受信器１０が以下で説明するような比較的広い帯域幅を有している付加的フィルタを含んでいるかまたはその帯域幅が補償調整できるプログラミング可能なフィルタを含んでいることを除けば、前記ツートーンセキュリティシステムの明細書で開示されているものと同じである。またキー４と基地局８の制御ソフトウエアも補償調整可能であり、それによって以下の図３に基づく説明にも記載されているような通信プロトコルが実施される。
【００１１】
キー４は、マイクロコントローラ３５を含んでおり、これは通信プロトコルの一部としてキー構成要素の制御のための制御ソフトウエアを含んでいる。このマイクロコントローラ３５は、送信器６を制御しており、送信器６は、第１の基準音を生成するための第１の発振器３０と、第２の基準音６２を生成するための第２の発振器３２を含んでいる。生成された周波数信号は、結合器（アンテナ分岐）または加算増幅器３４によってＵＨＦ送信アンテナ７に対する伝送のために結合される。マイクロコントローラ３５は、発振器３０と３２の制御に対しても接続されており、それによりマイクロコントローラは、周波数ずれまたは周波数偏差を、伝送すべきデータの支援のもとで、以下で説明するように生じさせる。またこのマイクロコントローラ３５は、基地局８から低周波受信器９とアンテナ３１を介して制御データを受信することのできる能力も備えている。キー４は、図には示されていないが、キー４が予め定められた基地局８の領域内に入った場合にキー４を励起もしくはトリガするトランスポンダ回路装置を含んでいる。この領域内では、所定の事象、例えばドアノブのプル操作などが開始された場合に、車両側で励起信号が形成される。キー４が励起されるか活動化されると直ちに、車両のアクセス正当性に対する通信プロトコル４が開始される。
【００１２】
基地局８は、マイクロコントローラ４０を含んでおり、これは制御ソフトウエアを有し、基地局８の構成要素の作動を制御している。この部分は、ＵＨＦ受信器３６を含んでおり、これはマイクロコントローラ４０に対して受信されたデータを出力供給するために受信アンテナ１２に接続されている。アナログ／デジタル変換器３８は、受信器３６のアナログ出力信号をマイクロコントローラ４０のためにディジタル形式に置換えるために用いられる。これらの信号は、ＲＳＳＩ（入力信号増幅表示器）出力を含んでおり、これがマイクロコントローラ４０のためのスペクトル標識データを提供する。受信器３６によって生成される中間周波数信号は、フィルタリングのためにフィルタ４３に転送され、その後で信号から導出されるデータのマスキングのために受信器３６に戻される。このフィルタ４３は、マイクロコントローラ４０によってプロトコルと一致するように設定される帯域幅の切換式（“スイッチング”）中間周波数フィルタである。基地局８は、低周波送信器３７と、マイクロコントローラ４０からキー４へのデータ伝送用のアンテナ３９も有している。低周波送信器３７、アンテナ３１および３９、並びにキー４の受信器９は、次のように構成されている。すなわち、キー４と基地局８が、保護されている領域内つまり車両内に一緒にもたらされた場合に限って、低周波通信接続が構築されるように構成されている。例えば送信アンテナ３９は、イグニッションシステム（イグニッションシリンダ）内に設けられたコイルの形態であってもよい。それにより、キー４がイグニッションシステムのイグニッションスイッチ内に差し込まれた場合にのみ、アンテナ３１との接続が形成される。この低周波チャネル接続は、キー４が次の回で励起される場合の基地局からキー４への同期制御データ送信のために用いられる。この同期制御データは、アクセス正当性プロトコルで伝送されたメッセージの様々なパートないし成分のための時間Ｔ０，Ｔ１，Ｔ２，Ｔ３，Ｔ４を設定するのに用いられる。
【００１３】
図３に示されているプロトコルは、ステップ（ａ）と（ｂ）で開始され、キー４から伝送された１００ｋＨｚの間隔の基準トーンがまず低出力で行われ、その後で高出力で行われ、前記ツートーンセキュリティシステム明細書に記載のようにツートーンテストが実施される。受信器１０から２つのトーン伝送の間に受信された信号の周波数スペクトルの例は、図５に示されている。例えば基準トーン発振器３０と３２が、４３３．９ＭＨｚないし４３４．１ＭＨｚの伝送のために設定されている場合、周波数４３３．７ＭＨｚ（６４）ないし４３４．１ＭＨｚ（６６）のもとで全ての“サードオーダ”の相互変調ひずみ積が現れる。マイクロコントローラ４０は、フィルタ４３を次のように設定する。すなわち周波数６０，６２，６４，６６の各々に対する幅が１００ｋＨｚの相応の帯域幅フィルタによって準備される。この帯域内のスペクトル情報は、マイクロコントローラ４０に対するスペクトルシグネチャに置き換えられ、ツートーンテストに従って各中継点１６の１つの障害を識別するために、記憶されているスペクトルマスクと比較される。
【００１４】
ツートーンテストを用いて能力と中継点を識別できるようにするために、低出力伝送パート（ａ）と高出力伝送パート（ｂ）の同期化されたスイッチによって、伝送メッセージが最大化される。中継点１６から相互変調帯域に挿入された遅延積は、各個別の出力上昇に対して３倍増加する。比較的低い出力の最初の伝送パート（ａ）の間は、中継点１６は、その増幅を著しい出力増加もしくは出力利得に結びつけなければならない。これはキー４と車両の基地局８との間の間隔をブリッジするためのものである。キー４が、高出力成分（ｂ）を増幅器３４の出力ゲインの上昇によって基地局８から指定されている同期時間のもとで伝送することを開始した場合には、中継点１６がその増幅器の出力ゲインを直ちに補償調整できる状態になく、過度に増幅された信号が受信器１０に伝送される。例えばキー４が、周期Ｔ０の終端において３０ｄＢの出力上昇を導入した場合、相互変調帯域内のひずみ積は９０ｄＢだけ高まる。それによって、不利な状況において（さもないと相互変調積が受信器１０のノイズレベル（ノイズフロア）内に留まる）、当該積が受信器１０の測定能力内にあることを保証するだけの出力レベルに上昇する。
【００１５】
ステップ（ｃ）では、基地局とキーとの間で送信すべき認証データが第１のパートで送信される。しかしながらそれらのデータは、周波数切換（周波数シフトキーイング；ｆｓｋ）を用いて送信され、その際には選択された伝送チャネルから例えば２００ｋＨｚの周波数偏差が印加される。換言すれば、ローレベルの信号７０は＋２００ｋＨｚの偏差を伴って送信され、ハイレベルの信号７２は−２００ｋＨｚの偏差を伴って送信される。受信器１０によってｆｓｋ−データ伝送の間に受信された信号の周波数スペクトルは、図６に示されている。受信器のフィルタ４３は、事前に１００ｋＨｚの帯域幅に設定されているので、データ改竄を回避するために補償調整が必要である。それに応じて初期伝送期間中は、例えばツートーンテストの前または最中に、キーを基地局に割当て、所定数のビットを設定された周波数偏差のもとでステップ（ａ）および（ｂ）の後に伝送する。それに応じて受信器１０のフィルタ回路４３は、所要の新たな４００ｋＨｚの帯域幅を適時に扱えるように変更を加える。伝送すべきビットの数と周波数偏差は、キーの識別および有効性検査によって基地局側でトリガされる初期メッセージに基づいてキーに伝送可能である。この初期メッセージは、暗号かされ低周波接続の利用下で送信される。通信の時間経過は次のように構成される。すなわち中継点が無資格であり、フィルタは適時に補償ないし変更されるように構成される。それ故にデータが比較的広い周波数偏差を伴って送信された場合には、ツートーンテストを迂回すべく帯域幅の狭い（１００ｋＨｚ）フィルタが使用されている中継点によるキャッチが、基地局８において識別される。なぜなら狭帯域なフィルタの利用が図４に示されているようなデータ改竄を導くからである。図４に示されている改竄は、＋／−１５０ｋＨｚの周波数偏差が伝送データに適用される場合１５０ｋＨｚの帯域幅フィルタによって挿入される。
【００１６】
ステップ（ｄ）では２つの基準トーンが再び１００ｋＨｚのチャネル間隔で伝送される。この基本は、再びツートーンテストを実施することであり、これは中継点が、使用される何らかの中間周波数フィルタ（ＩＦ）の帯域幅を拡張したか否かを識別するためである。例えば、帯域幅が４００ｋＨｚまで高められたケースでは、当該ステップで使用されるツートーンテストが、よりワイドな帯域幅フィルタの存在を識別できるような状態におかれている。なぜならそれによって複数のトーンのミキシングと識別可能な相互変調が得られるからである。当該メッセージの間に送信されるトーンの持続時間７３は、初期メッセージの間に再びキー４に伝達される。このことも、中継点が通信プロトコルの間にフィルタを適時に平衡調整することを回避する。
【００１７】
ステップ（ｅ）では、認証データの第２のパートが＋／−２００ｋＨｚの周波数偏差のもとで送達される。このことも事前に基地局からキーへ伝達され、それによって当該セキュリティシステムフィルタは相応に平衡調整されるか切換られる。
【００１８】
キー４から伝送されるメッセージパートの各々に対する時間経過、Ｔ０，Ｔ１，Ｔ２，Ｔ３，Ｔ４は、場合によってはデータパート（ｃ）および（ｅ）においてデータを伝送するのに用いられる周波数偏差が基地局からそのつどの有効なキー４の識別に従って変更される。この時間経過ないし同期データは、キー４に初期メッセージを供給し、初期メッセージの部分は、前述したように、キーによるメッセージパートの伝送の間に伝送される。しかしながら、キー４と基地局８が共に、当該の保護されている領域内にもたらされているならば（例えば自動車が始動された後など）有利な形態で伝送される。新たな同期時間と偏差は、ＲＦインターフェースを介した次の通信に対して利用される。この場合は、中継点１６が時間経過と偏差を学習することを避けるためにランダムな選択が用いられる。データのハイビットとロービットの伝送のための周波数偏差は、使用される送信器６と受信器１０の能力に合わせて変更可能である。例えば偏差は、＋／−２５ｋＨｚの僅かな値であってもよい。受信器１０によって使用されるフィルタの帯域幅と使用される偏差は、中継点１６によって利用されるフィルタの存在を識別するために、キーメッセージの伝送の間においてのみ簡単な変更が必要となる。周波数偏差が、データパートの伝送の間に中継点１６のフィルタの帯域幅を越えた場合には、データが中継点１６によって改竄され、基地局８によって識別される。中継点のフィルタが幅的に十分であるならば、データは改竄されず、ツートーンがフィルタを通過し、識別可能な相互変調積が生成される。中継点が、中間周波数フィルタを切換え帯域幅の変更を補償調整するのに十分な能力を備えて構成されている場合でも、中継点１６はフィルタ帯域幅がいつ変更されるべきかを検出することはできない。中継点は成功を得るためにはフィルタ帯域幅を正確な適する時点で変更しなければならない。そうでないとツートーンの存在が隠蔽されるかデータが改竄される。
【００１９】
プロトコルは、保護領域のセキュリティ要求度に依存して変更可能である。例えばパート（ａ）と（ｂ）の間の出力の変更を省き、統一された出力の１つのツートーンテストをだけ行うようにしてもよい。また認証データを２つのパートに細分割する必要性がないケースも考えられるし、全てのデータを周期中に第１のツートーンテストに続けて送信することも可能である。これによりパート（ｄ）の必要性がなくなる。複数のデータを１つのパート内で組み合わせるのならば、低出力と高出力のツートーンテストパートと共にそれらを送信してもよいし、統一された固有の出力のツートーンテストと共に送信してもよい。
【００２０】
同期化はキー４が励起され基地局８との有効な通信が開始された時点で行われる。この有効な通信は、キーのユーザーによって前述したように導入される。
【００２１】
当業者にとってはこのことについて本発明の枠を越えることなく多くの変化例や応用例が可能であることは明白である。
【図面の簡単な説明】
【図１】
中継点を有するセキュリティシステムの有利な実現例を概略的に示した図である。
【図２】
１つのセキュリティシステムのブロックダイヤグラムである。
【図３】
セキュリティシステムから伝送された信号の時間ダイヤグラムである。
【図４】
改竄されたデータ信号のダイヤグラムである。
【図５】
ツートーン伝送システムのための周波数スペクトルのダイヤグラムである。
【図６】
データ伝送システムのための周波数スペクトルのダイヤグラムである。
【図２】
2004506824.tif 000003
【図３】
2004506824.tif 000004
【図４】
2004506824.tif 000005
【国際公開パンフレット】
2004506824.tif 000006
2004506824.tif 000007
2004506824.tif 000008
2004506824.tif 000009
2004506824.tif 000010
2004506824.tif 000011
2004506824.tif 000012
2004506824.tif 000013
2004506824.tif 000014
2004506824.tif 000015
2004506824.tif 000016
2004506824.tif 000017
2004506824.tif 000018
2004506824.tif 000019
2004506824.tif 000020
2004506824.tif 000021
2004506824.tif 000022
2004506824.tif 000023
2004506824.tif 000024
2004506824.tif 000025
2004506824.tif 000026
【国際調査報告】
2004506824.tif 000027
2004506824.tif 000028
2004506824.tif 000029
2004506824.tif 000030